(57)【要約】      （修正有）【課題】中仕切片が底部近傍まで達しているため緩衝効果が高く、廃棄する時は中仕切片を押しながら簡単な操作により折り畳むことができる中仕切付包装箱を提供する。【解決手段】互いに連接された側面１４，１６，１８，２０と、組立状態での一開口端部を閉鎖する第一，第二底蓋片５２，１１６と、内側空間を２分割して区切る中仕切片３２を有する。中仕切片３２に交差して複数の小形仕切片９８を備える。中仕切片３２は、糊付片２２に連接し、中仕切片３２の下方の端部は、第一，第二底蓋片５２，１１６の近傍に達する。中仕切片３２には、組み立て状態から、第一，第二底蓋片５２，１１６の押し込みにより折り曲げられる折り曲げ線３６を備える。【選択図】図１
0003200520.tif 000002
【実用新案登録請求の範囲】
【請求項１】
一枚のブランクシートから一体的に打ち抜かれた箱体形成片から成り、前記箱体形成片には、互いに連接された側面と、前記箱体形成片が組立状態のとき前記連接された側面で形成される筒体の一開口端部を閉鎖する底部分と、前記組み立てられた筒体の内側空間を分割して区切る中仕切片と、前記中仕切片に交差して設けられさらに内部空間を小さく区切る直角で複数の小形仕切片とが設けられ、
前記底部分は、前記一側面に連続し前記底部分の一部を覆う第一底蓋片と、前記第一底蓋片が設けられた前記側面に対向する側面に連続し前記底部分のその他の部分を覆う第二底蓋片と、前記第一底蓋片が設けられた前記側面の両側の側面から延出し前記第一底蓋片または前記第二底蓋片に糊付けされる一対のフラップとが設けられ、
前記中仕切片は、前記側面を筒体に組み立てて糊付けする糊付片に連接して設けられ、前記中仕切片の下方の端部は、前記前記第一底蓋片または前記第二底蓋片の近傍に達する長さに設けられ、
前記中仕切片には、組み立て状態から折り畳まれる時に、前記第一底蓋片または前記第二底蓋片の押し込みにより折り曲げられる折り曲げ線が設けられていることを特徴とする中仕切付包装箱。
【請求項２】
前記中仕切片の前記折り曲げ線は複数本設けられ、一方の折り曲げ線は前記底部分に沿って略平行に設けられ、他方の折り曲げ線は前記糊付片に連接する端部と、前記底部近傍に達する下方の端部で囲まれた角部を斜めに面取りする傾斜に設けられている請求項１または２記載の中仕切付包装箱。
【請求項３】
前記第一底蓋片または前記第二底蓋片の端部には、前記中仕切片を折り曲げる際に押し込むための開封用凹部が設けられている請求項１または２記載の中仕切付包装箱。
【考案の詳細な説明】
【技術分野】
【０００１】
この考案は、複数の収容物を各々区切って収容し、保管や運搬を行う中仕切付包装箱に関する。
【背景技術】
【０００２】
従来、ブランクシートから一体的に打ち抜かれた箱体形成片を折り曲げて糊付けし、ワンタッチで引き起こして組み立て可能に形成された中仕切付包装箱がある。中仕切付包装箱には、箱体を形成する側面や底面等に連接して箱体の内側空間をほぼ均等に２分割する中仕切片と、中仕切片に対してほぼ直角に交差し互いに等間隔に設けられている複数の小形仕切片が設けられている。これにより、複数の同形の収容物を各々区切って２列に収容することができ、緩衝性が高く、例えばガラス製のバイアル等、壊れやすい商品を保護して保管や運搬を行うことができる。
【０００３】
上記の中仕切付包装箱のうち特に、特許文献１の中仕切付組函と特許文献２の折り畳み式包装容器は、中仕切片が箱体の底部近傍まで達しており、緩衝効果がより高いものである。前記底部分は、前記一側面に連続し前記底部分の一部を覆う第一底蓋片と、この第一底蓋片に対向する側面から延出した第二底蓋片と、この第一底蓋片の両側の側面から延出し前記第一底蓋片または前記第二底蓋片に糊付けされる一対のフラップとが設けられ、ワンタッチで組み立てられる。この折り畳み式包装容器は、中仕切り箱が底部近傍まで達しているため、第一底蓋片と第二底蓋片が元の折り畳み状態に戻る時に当接して防ぎ、箱体の保形性を確実に維持することもできる。
【先行技術文献】
【特許文献】
【０００４】
【特許文献１】特開平８−２５３２３５号公報
【特許文献２】特開平８−３２４５４５号公報
【考案の概要】
【考案が解決しようとする課題】
【０００５】
上記背景技術の場合、使用後に中仕切付包装箱を折り畳む際に、底部の中央付近を押して、組み立てられた底部の係合を解除して、底部を箱体の内側に折り込みながら組立とは逆の手順で、ワンタッチで折り畳む。しかし、中仕切片が底部近傍まで達しているため、底部を箱体の内側に折り込む際に邪魔になり、折り畳みにくいものである。
【０００６】
この考案は、上記背景技術の問題点に鑑みてなされたものであり、中仕切片が底部近傍まで達しているため緩衝効果が高く、また廃棄する時は中仕切片を押しながら簡単な操作により折り畳むことができる中仕切付包装箱を提供することを目的とする。
【課題を解決するための手段】
【０００７】
本考案は、一枚のブランクシートから一体的に打ち抜かれた箱体形成片から成り、前記箱体形成片には、互いに連接された側面と、前記箱体形成片が組立状態のとき前記連接された側面で形成される筒体の一開口端部を閉鎖する底部分と、前記組み立てられた筒体の内側空間を２分割して区切る中仕切片と、前記中仕切片に交差して設けられさらに内部空間を小さく区切る直角で複数の小形仕切片とが設けられている中仕切付包装箱である。前記底部分は、前記一側面に連続し前記底部分の一部を覆う第一底蓋片と、前記第一底蓋片が設けられた前記側面に対向する側面に連続し前記底部分のその他の部分を覆う第二底蓋片と、前記第一底蓋片が設けられた前記側面の両側の側面から延出し前記第一底蓋片または前記第二底蓋片に糊付けされる一対のフラップとが設けられている。前記中仕切片は、前記側面を筒体に組み立てて糊付けする糊付片に連接して設けられ、前記中仕切片の下方の端部は、前記前記第一底蓋片または前記第二底蓋片の近傍に達する長さに設けられている。前記中仕切片は、前記箱体形成片の折り畳み状態から前記第一底蓋片と前記第二底蓋片が引き起こされて互いに係合されて底部分が形成される際に同時に引き起こされて立体に組み立てられる。前記中仕切片には、組み立て状態から、前記第一底蓋片または前記第二底蓋片の押し込みにより折り曲げられる折り曲げ線が設けられている。
【０００８】
また、前記中仕切片の前記折り曲げ線は複数本設けられ、一方の折り曲げ線は前記底部分に沿って略平行に設けられ、他方の折り曲げ線は前記糊付片に連接する端部と、前記底部近傍に達する下方の端部で囲まれた角部を斜めに面取りする傾斜に設けられている。
【０００９】
前記第一底蓋片または前記第二底蓋片の端部には、前記中仕切片を折り曲げる際に押し込むための開封用凹部が設けられていると良い。
【考案の効果】
【００１０】
本考案の中仕切付包装箱は、中仕切片が底部近傍まで達しているため緩衝効果が高く、収容物を確実に緩衝的に保護することができる。また、使用後に中仕切付包装箱を廃棄する時は簡単な操作により折り畳むことができる。廃棄の際に底部を箱体の内側に折り込むと、底部を形成する底蓋片が中仕切片に当接して中仕切片が容易に折れ曲がり、中仕切片が支障とならず、底蓋片が移動して円滑に折り畳むことができる。
【図面の簡単な説明】
【００１１】
【図１】この考案の一実施形態の中仕切付包装箱の部分破断斜視図である。
【図２】この実施形態の中仕切付包装箱の展開図である。
【図３】この実施形態の中仕切付包装箱の縦断面図である。
【考案を実施するための形態】
【００１２】
以下、この考案の実施形態について図面に基づいて説明する。図１〜図３はこの考案の一実施形態を示すもので、この実施形態の中仕切付包装箱１０は、厚紙等の一枚のブランクシートを打ち抜いて形成された箱体形成片１２を組み立てて形成されている。
【００１３】
図２は、箱体形成片１２を表面から見た展開図であり、側面１４，１６，１８，２０が互いに平行に連接して設けられている。側面１４，１６，１８，２０は、連接している幅方向は同じ長さであり、連接方向の長さは側面１４，１８が長くて互いにほぼ等しく、側面１６，２０は短くて互いにほぼ等しい。さらに側面１４の側縁部には、中仕切付包装箱１０の組立状態で側面２０の裏面に糊付けされる糊付片２２が設けられている。糊付片２２、側面１４，１６，１８，２０は、各々折罫線２４，２６，２８，３０で区切られている。
【００１４】
糊付片２２は、折罫線２４に対して平行な側縁部２２ａまでの長さは、側面１６，２０の約半分の長さであり、側面１４との連接方向に対して直角な方向の一方の端部２２ｂは、側面１４から離れるに従い糊付片２２の幅が狭くなる方向に傾斜する直線状に形成されている。糊付片２２の、端部２２ｂと反対側の端部２２ｃは、側面１４から離れるに従い端部２２ｂに近づく曲線状に形成され、糊付片２２の外側に膨出する湾曲線であり、側縁部２２ａに連続している。
【００１５】
糊付片２２の側縁部２２ａには、緩衝用の中仕切片３２が、折罫線３４で区切られて一体に連接して形成されている。中仕切片３２は、折罫線３４に対して平行な側縁部３２ａまでの長さは、側面１４，１８よりわずかに小さい矩形である。糊付片２２の端部２２ｂに連接する端部３２ｂは、糊付片２２の側縁部２２ａに対して直角に位置する直線であり、隣接する糊付片２２の端部２２ｂよりも図面上で低い位置、つまり端部２２ｃに近い位置に設けられている。側縁部２２ａ近傍では、端部３２ｂが中仕切片３２の面内で屈曲して側縁部２２ａに対して鋭角に交差する直線で形成されて、端部２２ｂに連続している。中仕切片３２の、端部３２ｂと反対側の端部３２ｃは、端部３２ｂに対して平行な直線であり、端部３２ｃは、隣接する糊付片２２の下端部よりも高い位置、つまり曲線である端部２２ｃが側面１４に接する位置よりもわずかに端部２２ｂに近い位置に設けられている。端部３２ｃの糊付片２２に近い端部は、中仕切片３２の面内で折り曲げられて側縁部２２ａに対して鈍角に交差する直線となり、さらに側縁部２２ａに直角に交差する短い直線となって、側縁部２２ａの途中に連続している。中仕切片３２の各角部は円弧状に面取りされている。
【００１６】
中仕切片３２には、２本の折り曲げ線３６，３８が設けられている。一方の折り曲げ線３６は、端部３２ｃの中心から、端部３２ｃの側縁部２２ａ側の先端部分に達する直線であり、中仕切片３２の、糊付片２２との間に位置する下方の角部を斜めに面取りするように形成された直線である。他方の折り曲げ線３８は、仕切片３２の、中心よりも少し端部３２ｂに近い位置で端部３２ｃと側縁部２２ａが交差する位置と同じ高さに設けられ、端部３２ｂに対して平行な直線である。折り曲げ線３６は押し罫線で設けられ、折り曲げ線３８には破断線による破断部分が形成されている。
【００１７】
側面１４の、糊付片２２の端部２２ｂに連続する端部には、上蓋片４０が折罫線４２で区切られて設けられている。上蓋片４０の、折罫線４２の反対側の端部には、さらに差込片４４が折罫線４６で区切られて設けられている。
【００１８】
側面１４には、折罫線４２に近い位置に、折罫線４２に対して平行で折罫線４２より短い折罫線４８が設けられ、折罫線４８の両端部は側面１４内に位置し、折罫線４８の両端部には、側面１４の折罫線４２の端部に連続する破断線５０が連続して設けられている。
【００１９】
側面１４の、折罫線４２と反対側の端部には、底部分を形成する変形した台形状の第一底蓋片５２が折罫線５４で区切られて設けられている。第一底蓋片５２の、折罫線５４から、折罫線５４に対して平行な端部５２ａまでの長さは、中仕切付包装箱１０の組立状態で端部５２ａが底面の中心線を超える長さに設けられている。端部５２ａの折罫線２４に近い位置には、第一底蓋片５２の中央に向かって膨出する円弧状等の切り込みまたは折罫線５５が設けられている。
【００２０】
端部５２ａの、折罫線２６に近い方の約半分の長さにわたって、底面折重ね片５６が折罫線５８で区切られて設けられている。折罫線５４と折罫線５８の間の長さは、中仕切付包装箱１０の組立状態で底面の中心線に折罫線５８が位置するものであり、側面１６，１８の幅の約半分である。底面折重ね片５６は、折罫線５８を上底とする変形した台形状であり、折罫線５８に対して平行な端部５６ａは折罫線５８よりも長く、台形の下底となる。底面折重ね片５６の、折罫線２６の延長線に位置する端部５６ｂは、折罫線５８に近い部分は折罫線５８から離れるにつれて外側に延出する傾斜線であり、折罫線５８から離れて端部５６ａに近い部分は端部５６ａに対して直角に位置するものである。底面折重ね片５６の、第一底蓋片５２の端部５２ａの中心付近、つまり端部５６ｂの反対側の端部に連続する端部５６ｃは、第一底蓋片５２とは破断線５７で区切られて端部５２ａに達し、端部５２ａから離れた部分は、複数個所で折れ曲がりながら端部５６ａに、傾斜して達している。
【００２１】
底面折重ね片５６の端部５６ａには、第一仕切構成部６０が折罫線６２で区切られて設けられている。第一仕切構成部６０は、折罫線６２に隣接して折返片６４が設けられ、折返片６４から４つの小形仕切片６６が形成されている。小形仕切片６６は、帯状で、長手方向が折罫線６２に対して傾斜して設けられている。傾斜する方向は、折罫線６２から離れるにつれて側面１４の折罫線２６側から折罫線２４側に向かうものである。小形仕切片６６は、互いに平行に隣接し、各小形仕切片６６は切込線６８で各々区切られている。切込線６８の形状は、折罫線６２に近い部分は折罫線６２に対して平行な直線であり、この直線の折罫線２４側の端部から緩やかなＳ字を描きながら折罫線６２から離れる方向に延出し、先端部は折罫線６２に対して平行な直線となり、折罫線２６側から折罫線２４側へ延出している。小形仕切片６６の、折罫線６２側の端部は、折罫線６２に対して直角に位置する折罫線７０が設けられ、折罫線７０で折返片６４と区切られている。各切込線６８は、互いに等間隔に設けられ、小形仕切片６６が互いに同形状となり、組立状態で箱体の内部空間を中仕切片３２に沿って５等分するように設けられている。
【００２２】
小形仕切片６６の、折返片６４と反対側の端部には、折罫線６２に対して平行な長辺を有する矩形の１枚の仕切支持片７２が設けられている。小形仕切片６６の、折罫線７０と反対側の端部は、折罫線７０に対して平行な折罫線７４が設けられ、折罫線７４で仕切支持片７２と区切られている。仕切支持片７２は、折返片６４よりも側面１４の折罫線２４側に移動した位置に設けられている。仕切支持片７２の、折罫線６２と反対側の端部７２ａは、折罫線６２に対して平行な直線であり、各小形仕切片６６から離間している。仕切支持片７２の、側面１４の折罫線２６に近い側縁部７２ｂは、一番折罫線２６に近い小形仕切片６６の、折罫線７０近傍の端部に連続して、折罫線７０に対して平行に設けられている。仕切支持片７２の、側縁部７２ｂと反対側の側縁部７２ｃは、一番折罫線２６から離れた小形仕切片６６から離れて、側面１４の折罫線２４を超えて、糊付片２２の側縁部２２ａ近傍に位置し、側縁部７２ｂに対して平行に設けられている。仕切支持片７２の、側縁部７２ｃ側の形状は、端部７２ａと平行な端部７２ｄが設けられて矩形に形成されている。なお、折罫線７０と、隣接する小形仕切片６６の折罫線７４は、互いに延長線上に位置している。
【００２３】
側面１６の、側面１４の折罫線４２に隣接する端部には、台形状の上フラップ７６が折罫線７８で区切られて設けられている。側面１６の、折罫線７８と反対側の端部には、三角形の底フラップ８０が折罫線８２で区切られて設けられている。底フラップ８０の、側面１４に隣接する傾斜した側縁部には、変形した台形の糊付片８４が折罫線８６で区切られて設けられている。
【００２４】
側面１８の、側面１６の折罫線７８に隣接する端部には、台形状の側面折重ね片８８が折罫線９０で区切られて設けられている。側面折重ね片８８の、折罫線９０から、折罫線９０に対して平行な端部８８ａまでの長さは、中仕切付包装箱１０の組立状態で側面１８に折罫線９０で折り返されたときに底部に達する長さに設けられている。
【００２５】
側面折返片８８の端部８８ａには、第二仕切構成部９２が折罫線９４で区切られて設けられている。第二仕切構成部９２は、折罫線９４に隣接して折返片９６が設けられ、折返片９６から４つの小形仕切片９８が形成されている。小形仕切片９８は、帯状で、長手方向が折罫線９４に対して傾斜して設けられている。傾斜する方向は、折罫線９４から離れるにつれて側面１８の折罫線３０側から折罫線２８側に向かうものである。小形仕切片９８は、互いに平行に隣接し、各小形仕切片９８は切込線１００で各々区切られている。切込線１００の形状は、折罫線９４に近い部分は折罫線９４に対して平行な直線であり、この直線の折罫線２８側の端部から緩やかなＳ字を描きながら折罫線９４から離れる方向に延出し、先端部は折罫線９４に対して平行な直線となり折罫線３０側から折罫線２８側へ延出している。小形仕切片９８の、折罫線９４側の端部は、折罫線９４に対して直角に位置する折罫線１０２が設けられ、折罫線１０２で折返片９６と区切られている。各切込線１００は、互いに等間隔に設けられ、小形仕切片９８が互いに同形状となり、組立状態で箱体の内部空間を中仕切片３２に沿って５等分するように設けられている。
【００２６】
小形仕切片９８の、折返片９６と反対側の端部には、折罫線９４に対して平行な長辺を有する矩形の１枚の仕切支持片１０４が設けられている。小形仕切片９８の、折罫線１０２と反対側の端部は、折罫線１０２に対して平行な折罫線１０６が設けられ、折罫線１０６で仕切支持片１０４と区切られている。仕切支持片１０４は、折返片９６よりも側面１６の折罫線２８側に移動した位置に設けられている。仕切支持片１０４の、折罫線９４と反対側の端部１０４ａは、折罫線９４に対して平行な直線であり、各小形仕切片９８から離間している。仕切支持片１０４の、側面１８の折罫線３０に近い側縁部１０４ｂは、一番折罫線３０に近い小形仕切片９８の、折罫線１０２近傍の端部に連続して、折罫線１０２に対して平行に設けられている。仕切支持片１０４の、側縁部１０４ｂと反対側の側縁部１０４ｃは、一番折罫線３０から離れた小形仕切片９８から離れて、側面１８の折罫線２８を超えて、側面１６の中間付近に位置し、側縁部１０４ｂに対して平行に設けられている。仕切支持片１０４の、側縁部１０４ｃ側の形状は、端部１０４ａと平行な１０４ｄが設けられて矩形に形成されている。なお、折罫線１０２と、隣接する小形仕切片９８の折罫線１０６は、互いに延長線上に位置している。
【００２７】
なお、折罫線５８，６２，９４は、折り曲げやすいように破断線で設けられている。
【００２８】
側面１８には、折罫線９０の中心に矩形の糊付部１０８が設けられている。糊付部１０８は、折罫線９０に連続するコの字形の開封用破断線１１０で囲まれて周囲と区切られている。側面折返片８８にも、糊付部１１２が、糊付部１０８と線対称形状に設けられている。糊付部１１２は、開封用破断線１１０と線対称形状の開封用破断線１１４で囲まれて周囲と区切られている。
【００２９】
側面１８の、折罫線９０と反対側の端部には、底部分を形成する変形した台形状の第二底蓋片１１６が折罫線１１８で区切られて設けられている。第二底蓋片１１６の、折罫線１１８から、折罫線１１８に対して平行な端部１１６ａまでの長さは、中仕切付包装箱１０の組立状態で端部１１６ａが底面の中心線を超える長さに設けられている。
【００３０】
端部１１６ａの、折罫線３０に近い方の約半分は、折罫線１１８に近い位置で折罫線１１８に対して平行に設けられた開口用縁部１２０が設けられている。開口用縁部１２０の、折罫線１１８からの長さは、中仕切付包装箱１０の組立状態で開口用縁部１２０が底面の中心線付近に位置する長さであり、側面１６，２０の約半分の幅に設けられている。開口用縁部１２０の途中には、円弧状に切り欠いた開封用凹部１２２が設けられている。第二底蓋片１１６の、折罫線３０に連接する傾斜した端部１１６ｂには、変形した台形の糊付片１２４が折罫線１２６で区切られて設けられている。
【００３１】
側面２０の、側面１８の折罫線９０に隣接する端部には、台形状の上フラップ１２７が折罫線１２８で区切られて設けられている。側面２０の、折罫線１２８と反対側の端部には、三角形に近い形の台形の底フラップ１３０が折罫線１３２で区切られて設けられている。
【００３２】
次に、この実施形態の中仕切付包装箱１０の組立方法の一例について説明する。なお、ここでは図２が中仕切付包装箱１０の箱体形成片１２の表面を見たものであり、箱体形成片１２の表面が凸になる折り方を正折り、そして裏面が凸になる折り方を逆折りと称する。
【００３３】
まず、第一底蓋片５２の裏面で折罫線５８近傍に、糊１３４を塗布し、折罫線５８を正折りして底面折重ね片５６を第一底蓋片５２裏面に糊付けする。この時第一仕切構成部６０は側面１４の裏面に重ねられる。
【００３４】
第一仕切構成部６０の表面で仕切支持片１０４に、糊１３５を５か所端部７２ａに沿って等間隔に塗布し、折罫線３４を正折りして中仕切片３２を第一仕切構成部６０の表面に糊付けする。側面折重ね片８８の裏面で折罫線９４近傍と糊付部１１２の内側に、糊１３６，１３８を各々塗布し、折罫線９０を正折りして側面折返片８８を側面１８裏面に糊付けする。そして第二仕切構成部９２の折返片９６の表面に、糊１４０を折罫線９４に沿って４か所に塗布し、折罫線９４を逆折りして第二仕切構成部９２を側面折返片８８表面に糊付けする。折罫線５４，８２，１１８，１３２を正折りし、折罫線８６，１２６を逆折りし、糊付片８４，１２４の裏面に糊１４２，１４４を各々塗布する。中仕切片３２の表面の、端部３２ｂと折り曲げ線３８の間の両端部近傍に糊１４６を２か所に塗布し、折罫線２６を折り曲げる。すると、中仕切片３２の表面は第二仕切構成部９２の仕切支持片１０４の裏面に糊１４６により糊付けされる。さらに、糊付片８４の裏面は第一底蓋片５２の表面に糊１４２により糊付けされる。糊付片２２の一部が糊付片１２４に重なるが、糊付片１２４を引き出して糊付片２２の表面に重ねる。そして、糊付片２２の表面に糊１４８を折罫線２４の近傍に沿って塗布し、折罫線３０を正折りして糊付片２２を側面２０の裏面に糊付けする。さらに、糊付片１２４の裏面は底フラップ１３０の表面に糊１４４により糊付けされる。これにより、箱体形成片１２は折り畳み状態となり、中仕切付包装箱１０はこの折り畳み状態で出荷される。
【００３５】
次に、収容物を収容し包装する工場等において、折罫線２４，２６，２８，３０を各々９０°に正折りして四角形の筒体にする。このとき、中仕切片３２の側方の折罫線３４は９０°に正折りされ、中仕切片３２は側面１４，１８の間に、箱体の中心に沿って立設される。そして、中仕切片３２裏面に取り付けられている第一仕切構成部６０の４つの小形仕切片６６は、折罫線７４が９０°に正折りされ、折罫線７０が９０°に逆折りされ、４つの小形仕切片６６は中仕切片３２に対して直角に立ち上り、中仕切片３２と側面１４との間の空間を５等分する。そして、中仕切片３２表面に取り付けられている第二仕切構成部９２の４つの小形仕切片９８は、折罫線１０６が９０°に逆折りされ、折罫線１０２が９０°に正折りされ、４つの小形仕切片９８は中仕切片３２に対して直角に立ち上り、中仕切片３２と側面１８との間の空間を５等分する。
【００３６】
中仕切付包装箱１０を箱体に組み立てる時、第一底蓋片５２は中仕切片３２の裏面を押しながら摺動し、中仕切片３２に対して直角となる。このとき、中仕切片３２は折り曲げ線３８から容易に正折りされ、第一底蓋片５２の動きに支障をきたさず、円滑に移動する。第一底蓋片５２、第二底蓋片１１６は、各々側面１４，１８に対して直角に引き起され、第一底蓋片５２の端部５２ａが第二底蓋片１１６の開口用縁部１２０に重ねられて裏面に係止され、第二底蓋片１１６の端部１１６ａが第一底蓋片５２の折罫線５８に重ねられて裏面、つまり裏面に折り返されている底面折返片５６に係止される。これにより、底部が形成される。中仕切片３２の下方の端部３２ｃは底部に達し、第一底蓋片５２と第二底蓋片１１６に、中仕切片３２の面方向が直角に当接し、第一底蓋片５２と第二底蓋片１１６が折り畳み方向に戻ることを防ぐ。
【００３７】
そして、中仕切片３２と小形仕切片６６，９８で１０等分された空間に各々収容物を入れる。収容物は、ガラス製のバイアル等である。上フラップ７６，１２６を各々折罫線７８，１２８で９０°に正折りし、折罫線４２，４６を９０°に正折りし、差込片４４を側面１８の裏面に側面折重ね片８８に沿って差し込み係止する。側面折重ね片８８の糊付部１１２を差込片４４に糊付けして封止する。
【００３８】
収容物を取り出す時は、側面１８の糊付部１０８を押して開封用破断線１１０と側面折返片８８の開封用破断線１１４を切断して、差込片４４に糊付部１０８，１１２が糊付けされた状態で上蓋片４０を開く。上蓋片４０が開かれた開口部から収容物を取り出す。側面１４には、上蓋片４０の両端部に連続する一対の破断線５０と、一対の破断線５０を結ぶ折罫線４８が設けられ、上蓋片４０を引き離して一対の破断線５０を切断することで側面１４の側縁部を折罫線４８がヒンジとなるように開き、収容物を取り出しやすくする。
【００３９】
収容物を取り出した後、中仕切付包装箱１０を廃棄する時は、底部から、第二底蓋片１１６の開封用凹部１２２の内側に指をあてて、第一底蓋片５２の端部５２ｃ近傍を、箱体の内側に押し込む。第一底蓋片５２が箱体の内側に折り畳まれて第二底蓋片１１６から離れ、係合を解除するものであるが、中仕切片３２の端部３２ｃが第一底蓋片５２の裏面に当接しているため、係合を解除することができない。しかし、ある程度の力で強く押すと、第一底蓋片５２の端部５２ａが中仕切片３２の端部３２ｃの糊付片２２側の部分を、折り畳む方向に押す。すると、中仕切片３２の、糊付片２２側に設けられた折り曲げ線３６が逆折りされて第一底蓋片５２の裏面側に移動し、第一底蓋片５２が箱体の内側に折り畳み可能となる。これにより、第一底蓋片５２と第二底蓋片１１６の係合が解除され、箱体の保形性がなくなり、折罫線２６，３０が二つ折りされ、折罫線２４，２８が１８０°に開かれ、平坦な折り畳み状態となる。この状態で、複数個の中仕切付包装箱１０を重ねることができ廃棄に適した形状となる。
【００４０】
この実施形態の中仕切付包装箱１０によれば、中仕切片３２と小形仕切片６６，９８により箱体の内側を仕切り、複数個の商品を緩衝的に収容することができる。中仕切片３２が底部近傍まで達しているため、収容物の側面に広い面積で対面し、緩衝効果が高く、収容物を確実に保護しながら、運搬や保管を行うことができる。また、中仕切片３２が底部近傍まで達していることにより、第一底蓋片５２と第二底蓋片１１６が折り畳み方向に戻ることを防ぐことができ、保形性が高く、収容物を出し入れする作業が容易で作業効率が良い。さらに、使用後に中仕切付包装箱１０を廃棄する時は、簡単な操作により平坦な状態に折り畳むことができ、平坦な折り畳み状態にして、コンパクトに廃棄処分や資源回収を行うことができる。また、組み立てる工程と折り畳む工程を、ワンタッチで簡単に行うことができる。
【００４１】
なお、この考案は上記実施形態に限定されるものではなく、箱体形成片の、側面や底蓋片、上蓋片の配置や連接する順番は自由に変更可能である。小形仕切片の数や形状は、収容物の数や形状に合わせて適宜変更可能である。中仕切片は、底部に当接してもよく、底部からわずかに離間して設けられるものでもよい。
【符号の説明】
【００４２】
１０  中仕切付包装箱
１２  箱体形成片
１４，１６，１８，２０  側面
２２  糊付片
３２  中仕切片
３２ｃ  端部
３６，３８  折り曲げ線
６０  第一仕切構成部６０
６６，９８  小形仕切片
５２  第一底蓋片
７２，１０４  仕切支持片
８０，１３０  底フラップ
９２  第二仕切構成部９２
１１６  第二底蓋片
１２０  開口用縁部
１２２  開封用凹部
【図１】
0003200520.tif 000003
【図２】
0003200520.tif 000004
【図３】
0003200520.tif 000005